(57)【特許請求の範囲】
【請求項１】
少なくとも、水と、顔料分散体と、浸透剤と、下記一般式（Ｉ）で表される化合物からなる界面活性剤とを含有し、
前記浸透剤が、炭素原子数８、又は９のアルカンジオールを含み、
前記炭素原子数８、又は９のアルカンジオールが、１，２−オクタンジオール、２−エチル−１，３−ヘキサンジオール、２−ブチル−２−エチル−１，３−プロパンジオール、２，２，４−トリメチル−１，３−ペンタンジオール、及び２，４−ジエチル−１，５−ペンタンジオールからなる群より選択される１以上の化合物であり、
前記アルカンジオールの含有量が、インクの全質量に対して０．３〜１．０質量％であり、
前記界面活性剤として、前記一般式（Ｉ）で表される化合物のみを含有し、
前記界面活性剤の含有量が、インクの全質量に対して０．０５〜１．０質量％である、インクジェット記録装置用インク。
【化１】
0005651635.tif 000025
（一般式（Ｉ）中、
Ｒ１は、ＣＡＨ２Ａ＋１であり、
Ｒ２はＣＢＨ２Ｂ＋１であり、
Ａ及びＢは、１以上の整数であり、
Ａ＋Ｂは、６〜１０の整数であり、
−Ｅ−Ｏ−は、−ＣＨ２ＣＨ２−Ｏ−であり、
−Ｐ−Ｏ−は、−ＣＨ２ＣＨ（ＣＨ３）−Ｏ−であり、
ｎ及びｍは、正の数であり、
ｎ＋ｍは、５以上であり、
ｎ＞ｍであり、
（−Ｅ−Ｏ−）、及び（−Ｐ−Ｏ−）からなる繰返し配列は、ランダムであってもブロックであってもよい。）
【請求項２】
請求項１に記載のインクジェット記録装置用インクを用いて、インクジェット記録装置により画像を形成する、画像形成方法。
【請求項３】
画像を形成する際に、被記録媒体を加熱しない、請求項２に記載の画像形成方法。
【請求項４】
前記インクジェット記録装置の記録方式がラインヘッド型の記録方式である、請求項２又は３に記載の画像形成方法。
【発明の詳細な説明】
【技術分野】
【０００１】
本発明は、インクジェット記録装置用インク、及び画像形成方法に関する。
【背景技術】
【０００２】
近年、記録技術の急速な進歩により銀塩写真に匹敵する高精細な画質を得ることが可能となっていることから、インクジェット記録方式により画像を形成するインクジェット記録装置が画像形成装置として広く使用されている。
【０００３】
このようなインクジェット記録装置について、画像の品質を維持しつつ、画像形成速度を向上させることが強く望まれている。しかし、インクジェット記録装置で高速で画像形成を行った場合、インクが紙等の被記録媒体に浸透する前に被記録媒体が排出ローラー対の間を通って排出されてしまい、インクが排出ローラーに付着（オフセット）することがある。この場合、排出ローラーに付着したインクの被記録媒体への付着により、形成画像に画像不良が発生しやすくなる。
【０００４】
オフセットの発生を抑制するためには、インクの吐出量を低減することが考えられる。しかし、この場合、所望する濃度の画像を形成しにくい。そこで、所望する濃度の画像を形成しつつオフセットの発生を抑制するために、インクに含有させることによりインクの被記録媒体への浸透性を改良できる化合物について、多数検討されている。
【０００５】
このような事情から、被記録媒体への浸透性（乾燥性）に優れ、高品質な画像を形成できるインクとして、直鎖アルカノールに特定量のエチレンオキサイド及び／又はプロピレンオキサイドが付加した化合物を含有するインクが提案されている（特許文献１を参照）。
【先行技術文献】
【特許文献】
【０００６】
【特許文献１】特開２００５−３３６４９６号公報
【発明の概要】
【発明が解決しようとする課題】
【０００７】
ところで、高品質な画像を形成するためには、一般的に、インク液滴が被記録媒体に着弾して形成されるドットについて、ドット径が十分に大きく、ドット形状が真円に近いことが望まれる。しかし、特許文献１に記載のインクでは、真円に近い形状のドットを形成しにくいため、高品質な画像を形成しにくい。
【０００８】
本発明は、かかる事情に鑑みてなされたものであり、所望の径、及び形状のドットを形成でき、且つ、所望する濃度の画像を形成できるインクジェット記録装置用インクを提供することを目的とする。また、本発明は、前述のインクジェット記録装置用インクを用いる、インクジェット記録装置による画像形成方法を提供することを目的とする。
【課題を解決するための手段】
【０００９】
本発明者らは、水と、顔料分散体とを含むインクジェット記録装置用インクに、炭素原子数８、又は９のアルカンジオールを含む浸透剤と、所定の化学構造の化合物からなる界面活性剤とを所定量配合することにより上記課題を解決できることを見出し、本発明を完成するに至った。より具体的には、本発明は以下のものを提供する。
【００１０】
本発明の第一の態様は、少なくとも、水と、顔料分散体と、浸透剤と、下記一般式（Ｉ）で表される化合物からなる界面活性剤とを含有し、
前記浸透剤が、炭素原子数８、又は９のアルカンジオールを含み、
前記アルカンジオールの含有量が、インクの全質量に対して０．３〜１．０質量％であり、
前記界面活性剤の含有量が、インクの全質量に対して０．０５〜１．０質量％である、インクジェット記録装置用インクに関する。
【化１】
0005651635.tif 000002
（一般式（Ｉ）中、
Ｒ１は、ＣＡＨ２Ａ＋１であり、
Ｒ２は、ＣＢＨ２Ｂ＋１であり、
Ａ及びＢは、１以上の整数であり、
Ａ＋Ｂは、６以上の整数であり、
−Ｅ−Ｏ−は、−ＣＨ２ＣＨ２−Ｏ−であり、
−Ｐ−Ｏ−は、−ＣＨ２ＣＨ（ＣＨ３）−Ｏ−であり、
ｎ及びｍは、正の数であり、
ｎ＋ｍは、５以上であり、
ｎ＞ｍであり、
（−Ｅ−Ｏ−）及び（−Ｐ−Ｏ−）からなる繰返し配列は、ランダムであってもブロックであってもよい。）
【００１１】
また、本発明の第二の態様は、第一の態様のインクジェット記録装置用インクを用いて、インクジェット記録装置により画像を形成する、画像形成方法に関する。
【発明の効果】
【００１２】
本発明によれば、所望の径及び形状のドットを形成でき、且つ、所望する濃度の画像を形成できる、インクジェット記録装置用インクと画像形成方法とを提供することができる。
【図面の簡単な説明】
【００１３】
【図１】図１は、ラインヘッド型の記録方式のインクジェット記録装置の構成を示す断面図である。
【図２】図２は、図１に示されるインクジェット記録装置の搬送ベルトを上方から見た平面図である。
【図３】図３は、ラインヘッド型の記録方式のインクジェット記録装置の構成を示すブロック図である。
【図４】図４は、ラインヘッド型の記録方式のインクジェット記録装置に用いられるラインヘッドと記録用紙上に形成されたドット列の一部を示す平面図である。
【発明を実施するための形態】
【００１４】
以下、本発明の実施形態について詳細に説明するが、本発明は、以下の実施形態になんら限定されるものではなく、本発明の目的の範囲内で、適宜変更を加えて実施できる。なお、説明が重複する箇所については、適宜説明を省略する場合があるが、発明の要旨を限定するものではない。
【００１５】
［第１実施形態］
本発明の第１実施形態に係るインクジェット記録装置用インク（以下、単にインクともいう）は、少なくとも、水と、顔料分散体と、炭素原子数８、又は９のアルカンジオールを含む浸透剤と、式（Ｉ）で表される化合物からなる界面活性剤とを含有し、インクの全質量に対して、浸透剤、及び界面活性剤を所定量含む。前述の成分を所定量含む第一実施形態に係るインクによれば、所望する径及び形状のドットを形成することができる。まず、第１実施形態に係るインクによって形成されるドットの径、及び形状について説明する。
【００１６】
＜ドット径、及びドット形状＞
インク液滴が被記録媒体に着弾して形成されたドットの直径（ドット径）と、ドットの形状（ドット形状）を評価することによって、形成画像の画質の評価を行うことができる。一般的に、所定の解像度にて、可能な範囲でドット径が大きいほど形成画像の画質が向上する。また、ドット形状が真円に近いほど形成画像の画質が向上する。
【００１７】
例えば、ドットアナライザー（ＤＡ−６０００（王子計測機器株式会社製））等により、形成されたドットのドット径と、形状係数とを測定することができる。ドットアナライザーによるドット径と、形状係数との測定は、インクにより形成された画像を顕微鏡により撮影した拡大画像を所定の条件で二値化処理した後、拡大画像に含まれるドットの画像を解析することにより行われる。このような測定を行うことにより、インクにより形成されるドットが、所望する径及び形状であるか否か、評価することができる。
【００１８】
ドット径は、形成画像内の複数個のドットの直径の平均値として測定される。ドットの直径は、ドットアナライザーにより測定されるドットの面積を基に、下式に従って算出される。また、形状係数は、形成画像内の複数個のドットの形状係数の平均値として測定される。ドットの形状係数が１である場合、そのドットが真円であることを示し、ドットの形状係数が１に近いほどドット形状が真円に近いことを示す。各ドットの形状係数は、ドットアナライザーにより測定されるドットの周囲長と、ドットの面積とを基に、下式に従って算出される。
（ドットの直径算出式）
ドットの直径＝√（４×ドットの面積／π）
（形状係数算出式）
形状係数＝（ドットの周囲長）２／（４π×ドットの面積）
なお、ドット内部に、インクにより着色されていない穴がある場合、穴の周囲長さはドットの周囲長に含めず、穴の面積はドットの面積に含めない。
【００１９】
次いで、第１実施形態に係るインクジェット記録装置用インクについて詳細に説明する。第１実施形態に係るインクジェット記録装置用インクは、水、顔料分散体、浸透剤、及び式（Ｉ）で表される化合物からなる界面活性剤の他に、必要に応じて、インクに含まれる成分の溶解状態を安定化させる溶解安定剤、及びインクから液体成分の揮発を抑制してインクの粘性を安定化させる保湿剤を含んでいてもよい。なお、本発明のインクにおいて、顔料と樹脂とは、顔料分散体として含有される。以下、インクジェット記録装置用インクが含む、必須、又は任意の成分である、水、顔料分散体、浸透剤、式（Ｉ）で表される化合物からなる界面活性剤、溶解安定剤、並びに保湿剤と、インクジェット記録装置用インクの製造方法とについて順に説明する。
【００２０】
〔水〕
本発明のインクジェット記録装置用インクは、水性インクであり、水を必須に含む。インクに含まれる水は、本発明の目的を阻害しない範囲で特に限定されず、従来から、水性インクの製造に使用されている水から、所望の純度の水を適宜選択して使用できる。本発明のインクジェット記録装置用インクにおける水の含有量は、本発明の目的を阻害しない範囲で特に限定されない。水の含有量は、後述する、他の成分の使用量に応じて適宜変更される。インクにおける典型的な水の含有量としては、インクの全質量に対して２０〜７０質量％が好ましく、２５〜６０質量％がより好ましい。
【００２１】
〔顔料分散体〕
本発明のインクジェット記録装置用インクは、着色剤である顔料と樹脂とを含む顔料分散体を含む。
【００２２】
（顔料）
顔料分散体中に含有させることができる顔料は、本発明の目的を阻害しない範囲で特に限定されず、従来からインクジェット記録装置用インクにおいて着色剤として使用されている顔料から適宜選択して使用できる。好適な顔料の具体例は、Ｃ．Ｉ．ピグメントイエロー７４、９３、９５、１０９、１１０、１２０、１２８、１３８、１３９、１５１、１５４、１５５、１７３、１８０、１８５、１９３等の黄色顔料、Ｃ．Ｉ．ピグメントオレンジ３４、３６、４３、６１、６３、７１等の橙色顔料、Ｃ．Ｉ．ピグメントレッド１２２、２０２等の赤色顔料、Ｃ．Ｉ．ピグメントブルー１５等の青色顔料、Ｃ．Ｉ．ピグメントバイオレット１９、２３、３３等の紫色顔料、Ｃ．Ｉ．ピグメントブラック７等の黒色顔料等を挙げることができる。
【００２３】
顔料の使用量は、本発明の目的を阻害しない範囲で特に限定されない。具体的には、インクの全質量に対して４〜８質量％が好ましい。顔料の使用量が過少であると所望する画像濃度を有する画像を得にくく、顔料の使用量が過多であると、インクの流動性が損なわれることで所望する画像濃度を有する画像を得にくくなったり、インクの被記録媒体に対する浸透性の低下により、形成画像にオフセットに起因した画像不良が発生しやすくなったりする場合がある。
【００２４】
顔料分散体に含まれる顔料の体積平均粒径は、インクの色濃度、色相、インクの安定性等の観点から、３０〜２００ｎｍが好ましく、７０〜１３０ｎｍがより好ましい。顔料の体積平均粒径は、顔料と樹脂とを混練する際に使用するビーズの粒径や処理時間を調整することにより調整できる。体積平均粒径が過小である場合、形成画像の画像濃度が所望する値を下回る場合がある。体積平均粒径が過大である場合、インクを吐出するノズルの目詰まりが発生することでインクの吐出性が悪化したりする場合がある。顔料の体積平均粒径は、例えば、顔料分散体をイオン交換水により３００倍に希釈した試料を用い、動的光散乱粒度分布測定装置（シスメックス株式会社製）等により測定できる。
【００２５】
（樹脂）
顔料分散体に含まれる樹脂は、本発明の目的を阻害しない範囲で特に限定されず、従来から顔料分散体の製造に用いられている種々の樹脂から適宜選択して使用できる。好適な樹脂の具体例としては、スチレン−アクリル酸−アクリル酸アルキルエステル共重合体、スチレン−メタクリル酸−メタクリル酸アルキルエステル−アクリル酸アルキルエステル共重合体、スチレン−アクリル酸共重合体、スチレン−マレイン酸共重合体、スチレン−マレイン酸−アクリル酸アルキルエステル共重合体、スチレン−メタクリル酸共重合体、スチレン−メタクリル酸アルキルエステル共重合体、スチレン−マレイン酸ハーフエステル共重合体、ビニルナフタレン−アクリル酸共重合体、ビニルナフタレン−マレイン酸共重合体等が挙げられる。これらの樹脂の中では、調製が容易で、顔料の分散効果に優れることから、スチレン−アクリル酸−アクリル酸アルキルエステル共重合体、スチレン−メタクリル酸−メタクリル酸アルキルエステル−アクリル酸アルキルエステル共重合体、スチレン−アクリル酸共重合体、スチレン−マレイン酸−アクリル酸アルキルエステル共重合体、スチレン−メタクリル酸共重合体、スチレン−メタクリル酸アルキルエステル共重合体等の、スチレンに由来する単位と、アクリル酸、メタクリル酸、アクリル酸エステル、又はメタクリル酸エステルに由来する単位とを含むスチレン−アクリル系樹脂が好ましい。
【００２６】
顔料分散体の調製に用いる樹脂の質量平均分子量（Ｍｗ）は、本発明の目的を阻害しない範囲で特に限定されないが、典型的には１０，０００〜１６０，０００が好ましい。顔料分散体に含まれる樹脂の質量平均分子量（Ｍｗ）はゲルろ過クロマトグラフィーにより測定できる。樹脂の分子量は、樹脂を重合反応によって得る際の、重合開始剤の使用量、重合温度、又は重合時間等を調整する公知の方法に従って調整できる。ラジカル重合開始剤の量は、モノマー混合物１モルあたり、０．００１〜５モル加えるのが好ましく、０．０１〜２モル加えるのが好ましい。但し、開始剤の量を減少させる場合には、反応物の重合反応が停止し、残留モノマーが増える場合がある。また、連鎖移動剤として２−メルカプトエタノールを微量（モノマー混合物１モルあたり０．００１モル以下）加えてもよい。
【００２７】
また、顔料分散体の調製に用いる樹脂の酸価は、本発明の目的を阻害しない範囲で特に限定されない。樹脂の酸価は、典型的には、１５０〜３００ｍｇＫＯＨ／ｇが好ましい。樹脂の酸価が過小である場合、顔料分散体中の顔料の分散性が低くなりやすく、顔料の微粒子化が困難となるため、形成画像が良好な着色性、発色性を有さない場合がある。樹脂の酸価が過大である場合、インクの保存安定性が低くなりやすい。樹脂の酸価は、樹脂を合成する際に、アクリル酸、メタクリル酸等の酸性の官能基（例えばカルボキシ基）を有する単量体の使用量を適宜調整することにより調整できる。具体的には、酸性の官能基を有する単量体の使用量を増やすことにより酸価を高めることができる。
【００２８】
顔料分散体を調製する際の樹脂の使用量は、本発明の目的を阻害しない範囲で特に限定されない。典型的には、顔料の１００質量部に対して、１５〜１００質量部の範囲の量で使用される。
【００２９】
（顔料分散体の製造方法）
顔料と樹脂とを含む顔料分散体を製造する方法は、本発明の目的を阻害しない範囲で特に限定されず、従来知られる方法から適宜選択できる。好適な方法としては、例えば、ナノグレンミル（浅田鉄工株式会社製）、ＭＳＣミル（三井鉱山株式会社製）、ダイノミル（株式会社シンマルエンタープライゼス製）等のメディア型湿式分散機を用いて、水等の適切な液体の媒体中で、顔料と樹脂とを混練して顔料分散体とする方法が挙げられる。メディア型湿式分散機による処理では、小粒径のビーズを用いる。ビーズの粒径は特に限定されず、典型的には粒径０．５〜１．０ｍｍである。また、ビーズの材質は特に限定されず、ジルコニア等の硬質の材料が使用される。
【００３０】
顔料分散体を製造する際の、液体の媒体の使用量は、顔料と樹脂とを良好に混練できる限り特に限定されない。典型的には、液体の媒体の使用量は、顔料と樹脂との質量の合計に対して、１〜１０倍の質量を用いるのが好ましく、２〜８倍の質量を用いるのがより好ましい。
【００３１】
〔浸透剤〕
インクジェット記録装置用インクは、インクの被記録媒体への浸透性を高める目的で、浸透剤を含む。浸透剤は、炭素原子数８、又は９のアルカンジオールである。インクが浸透剤として、炭素原子数８、又は９のアルカンジオールを含有することにより、所望する径及び形状のドットを形成でき、且つ、所望する濃度の画像を形成できる。
【００３２】
これに対し、浸透剤として炭素原子数７以下のアルカンジオールを用いる場合、被記録媒体に対する浸透性に優れるインクを得にくいため、所望する径及び形状のドットを形成しにくく、所望する濃度の画像を形成しにくい。また、アルカンジオールの炭素原子数が１０以上である場合、アルカンジオールの水溶性が著しく低くなるため、均一に混合されたインクの調製が困難である。
【００３３】
インク中の炭素原子数８、又は９のアルカンジオールの含有量は０．３〜１．０質量％である。インク中の炭素原子数８、又は９のアルカンジオールの含有量が過少である場合、インクの被記録媒体への浸透性が低くなりやすい。この場合、真円に近い形状のドットを形成しにくい。インクが、被記録媒体へ浸透しにくいと、被記録媒体上に着弾したインクが被記録媒体上で不規則に流動しながら被記録媒体に浸透し、これにより不規則な形状のドットが形成されるためである。また、インクの被記録媒体への浸透性が低いと、所望する濃度の画像を形成しにくい。この場合、オフセットが発生しやすく、被記録媒体上のインクが、一部、排出ローラーに移行してしまうため、形成される画像の濃度が低下しやすい。
【００３４】
一方、インク中の炭素原子数８、又は９のアルカンジオールの含有量が過多である場合、インクの被記録媒体に対する浸透性が高すぎるために、被記録媒体上に着弾したインクが被記録媒体に急速に浸透してしまうため、形成されるドットの径が小さくなりやすい。また、インクの被記録媒体に対する浸透性が高すぎる場合、インクに含まれる顔料も被記録媒体内部に浸透してしまうため、所望する濃度の画像を形成しにくい。
【００３５】
アルカンジオールは、その炭素原子数が８、又は９であれば特に限定されず、直鎖状でも、分岐鎖状であってもよい。アルカンジオールの具体例としては、１，２−オクタンジオール、１，２−ノナンジオール、２−エチル−１，３−ヘキサンジオール、２−ブチル−２−エチル−１，３−プロパンジオール、２，２，４−トリメチル−１，３−ペンタンジオール、及び２，４−ジエチル−１，５−ペンタンジオール等が挙げられる。これらのアルカンジオールの中では、１，２−オクタンジオール、２−エチル−１，３−ヘキサンジオール、２−ブチル−２−エチル−１，３−プロパンジオール、２，２，４−トリメチル−１，３−ペンタンジオール、及び２，４−ジエチル−１，５−ペンタンジオールからなる群より選択される１以上の化合物が好ましい。これらのアルカンジオールは２種以上を組み合わせて用いることができる。
【００３６】
また、本発明において用いる浸透剤は、本発明の目的を阻害しない範囲で、炭素原子数８、又は９のアルカンジオールと、従来、インクジェット記録装置用のインクにおいて浸透性の改良の目的で使用されている種々の有機溶剤とを組み合わせて使用できる。炭素原子数８、又は９のアルカンジオールとともに使用できる有機溶剤の具体例としては、１，２−ヘキシレングリコール等の炭素原子数７以下のアルカンジオール、アルキレングリコールモノアルキルエーテル、ジアルキレングリコールモノアルキルエーテル、トリアルキレングリコールモノアルキルエーテル、環状ケトン化合物等が挙げられる。炭素原子数８、又は９のアルカンジオールを、他の浸透剤とともに使用する場合、浸透剤の使用量の総量は、インクの全質量に対して０．３質量％超であり、１〜２０質量％が好ましく、５〜１５質量％がより好ましい。
【００３７】
〔界面活性剤〕
第１実施形態に係るインクジェット記録装置用インクは、下記一般式（Ｉ）で表される化合物からなる界面活性剤を含む。界面活性剤として、下記一般式（Ｉ）で表される化合物を、複数組み合わせて用いることもできる。
【化２】
0005651635.tif 000003
（一般式（Ｉ）中、
Ｒ１は、ＣＡＨ２Ａ＋１であり、
Ｒ２は、ＣＢＨ２Ｂ＋１であり、
Ａ及びＢは、１以上の整数であり、
Ａ＋Ｂは、６以上の整数であり、
−Ｅ−Ｏ−は、−ＣＨ２ＣＨ２−Ｏ−であり、
−Ｐ−Ｏ−は、−ＣＨ２ＣＨ（ＣＨ３）−Ｏ−であり、
ｎ及びｍは、正の数であり、
ｎ＋ｍは、５以上であり、
ｎ＞ｍであり、
（−Ｅ−Ｏ−）、及び（−Ｐ−Ｏ−）からなる繰返し配列は、ランダムであってもブロックであってもよい。）
【００３８】
インクに、一般式（Ｉ）で現される化合物からなる界面活性剤を含有させることで、被記録媒体に対するインクの濡れ性が改良され、被記録媒体へインクが良好に浸透しやすい。インクが、被記録媒体に良好に浸透しやすいため、第一実施形態のインクによって、所望する径及び形状のドットを形成でき、且つ、所望する濃度の画像を形成できる。
【００３９】
一般式（Ｉ）において、Ａ＋Ｂが６未満の整数である場合、被記録媒体に対する濡れ性に優れるインクを得にくく、被記録媒体上でインクが広がりにくい。このため、所望する径及び形状のドットを形成しにくい。
【００４０】
一般式（Ｉ）において、Ａ＋Ｂは６以上の整数であり、６〜２０の整数であるのが好ましく、６〜１５の整数であるのがより好ましく、６〜１０の整数であるのが特に好ましい。Ａ＋Ｂが６〜２０の整数である場合、式（Ｉ）で表す化合物が適度な水溶性を有するため、均一に混合されたインクを調製しやすい。また、Ａ＋Ｂが６〜１０の整数である場合、インクが充填された記録ヘッドをキャップせずに長期間放置した後に画像を形成する際に、記録ヘッドからインク液滴を良好に吐出できる。
【００４１】
また、Ａ及びＢは、それぞれ１以上の整数であって、Ａ＋Ｂが６以上の整数である限り
特に限定されない。Ａ及びＢは、Ａ＋Ｂが６以上の整数であることを条件として、それぞれ、１〜１３が好ましく、２〜８がより好ましい。
【００４２】
一般式（Ｉ）において、ｍ＋ｍは５以上であり、４〜１２であるのが好ましく、５〜１１であるのがより好ましい。ｎ＋ｍが５〜１１である場合、インクが充填された記録ヘッドをキャップせずに長期間放置した後に画像を形成する際に、記録ヘッドからインク液滴を良好に吐出できる。ｎ＋ｍが５未満である場合、被記録媒体に対する濡れ性に優れるインクを得にくく、被記録媒体上でインクが広がりにくい。このため、所望する径のドットを有する画像を形成しにくい。
【００４３】
また、ｎ及びｍはそれぞれ正の数であって、ｎ＋ｍが５より大きく、ｍ＜ｎである限り特に限定されない。ｎは、ｎ＋ｍが５より大きく、ｍ＜ｎであることを条件として、２〜１１が好ましく、２〜１０がより好ましい。ｍは、ｎ＋ｍが５より大きく、ｍ＜ｎであることを条件として、１〜６が好ましく、１〜５がより好ましい。
【００４４】
ｎ≦ｍの場合は、インクの被記録媒体に対する濡れ性が低下しやすく、被記録媒体にインクが浸透しにくい。この場合、オフセットが発生しやすく、記録媒体上のインクが、一部、排出ローラーに移行してしまうため、所望する濃度の画像を形成しにくい。
【００４５】
インクにおける界面活性剤の含有量は、インクの全質量に対して０．０５〜１．０質量％である。インク中の界面活性剤の含有量が過少である場合、インクの被記録媒体に対する濡れ性が低下するため、上述の理由により、所望する径のドットを形成しにくく、所望する濃度の画像を形成しにくい。一方、インク中の界面活性剤の含有量が過多である場合、インクの被記録媒体に対する濡れ性が高すぎる場合がある。この場合、インクが被記録媒体に急速に浸透してしまうため、形成されるドットの径が小さくなりやすい。また、この場合、インクに含まれる水や有機溶媒とともに、インクに含まれる顔料も被記録媒体内部に浸透してしまうため、所望する濃度の画像を形成しにくい。
【００４６】
一般式（Ｉ）で表される化合物の製造方法は特に限定されないが、例えば、下記一般式（ＩＩ）で表されるアルコールの水酸基に、常法に従って、エチレンオキシド及びプロピレンオキシドを付加させて製造することができる。
【化３】
0005651635.tif 000004
【００４７】
〔溶解安定剤〕
溶解安定剤は、インクに含まれる成分を相溶化してインクの溶解状態を安定化させる成分である。溶解安定剤の具体例としては、２−ピロリドン、Ｎ−メチル−２−ピロリドン、及びγ−ブチロラクトン等が挙げられる。これらの溶解安定剤は２種以上を組み合わせて用いることができる。インクが溶解安定剤を含有する場合、溶解安定剤の含有量は、インクの全質量に対して１〜２０質量％が好ましく、３〜１５質量％がより好ましい。
【００４８】
〔保湿剤〕
保湿剤は、インクからの液体成分の揮発を抑制してインクの粘性を安定化させる成分である。保湿剤の具体例は、ポリエチレングリコール、ポリプロピレングリコール等のポリアルキレングリコール類；エチレングリコール、プロピレングリコール、ブチレングリコール、ジエチレングリコール、ジプロピレングリコール、トリエチレングリコール、トリプロピレングリコール、１，２，６−ヘキサントリオール、チオジグリコール、１，３−ブタンジオール、１，５−ペンタンジオール等のアルキレングリコール類；グリセリンである。これらの、保湿剤の中では、水等の液体成分の揮発の抑制効果に優れることからグリセリンがより好ましい。保湿剤は２種以上を組み合わせて用いることができる。インクが保湿剤を含有する場合、保湿剤の含有量は、インクの全質量に対して２〜３０質量％が好ましく、１０〜２５質量％がより好ましい。
【００４９】
〔インクジェット記録装置用インクの製造方法〕
インクの製造方法は、水、顔料分散体、浸透剤、及び式（Ｉ）で表される化合物からなる界面活性剤に対して、必要に応じて溶解安定剤、及び保湿剤を加えた後に、これらのインク成分を均一に混合することができれば特に限定されない。インクジェット記録装置用インクの製造方法の具体例としては、インクの各成分を混合機により均一に混合した後、孔径１０μｍ以下のフィルターにより異物や粗大粒子を除去する方法が挙げられる。なお、インクジェット記録装置用インクを製造する際には、水、顔料分散体、保湿剤、浸透剤、及び式（Ｉ）で表される化合物からなる界面活性剤に対して、必要に応じて溶解安定剤等の有機溶媒の他の液体成分や、酸化防止剤、粘度調整剤、ｐＨ調整剤、防腐防カビ剤等の、従来、インクジェット記録装置用インクに加えられている種々の添加剤を加えることができる。また、第一実施形態のインクには、本発明の目的を阻害しない範囲で、式（Ｉ）以外で表される化合物の他の界面活性を加えてもよい。
【００５０】
以上説明した第１実施形態に係るインクジェット記録装置用インクによれば、所望の径及び形状のドットを形成でき、且つ、所望する濃度の画像を形成できる。このため、第１実施形態に係るインクジェット記録装置用インクは、種々のインクジェット記録装置で好適に使用される。
【００５１】
［第２実施形態］
第２実施形態は、第１実施形態に係るインクジェット記録装置用インクを用いて、インクジェット記録装置により画像を形成する、画像形成方法に関する。第２実施形態に係る画像形成方法で用いるインクジェット記録装置の記録方式は、特に限定されず、記録ヘッドが被記録媒体上を走査しながら記録を行うシリアル型であっても、装置本体に固定された記録ヘッドにより記録を行うラインヘッド型であってもよい。第２実施形態に係る画像形成方法で用いるインクジェット記録装置としては、画像形成の高速性の点からラインヘッド型の記録ヘッドを備える記録装置が好ましく、被記録媒体を搬送する方向に対して垂直方向に設置された長尺のラインヘッドを備える記録装置がより好ましい。
【００５２】
以下、図面を参照して、第２実施形態の画像形成方法について、ラインヘッド型の記録方式のインクジェット記録装置を用い、被記録媒体として記録用紙Ｐを用いる場合に関して説明する。図１は、ラインヘッド型の記録方式のインクジェット記録装置の構成を示す断面図であり、図２は、図１に示すインクジェット記録装置の搬送ベルトを上方からみた平面図である。
【００５３】
図１に示すように、インクジェット記録装置１００の左側部には記録用紙Ｐを収容する給紙トレイ２（給紙部）が設けられており、この給紙トレイ２の一端部には収容された記録用紙Ｐを、最上位の記録用紙Ｐから順に一枚ずつ後述する搬送ベルト５へと給紙搬送するための給紙ローラー３及び給紙ローラー３に圧接され従動回転する従動ローラー４が設けられている。
【００５４】
給紙ローラー３及び従動ローラー４に関して用紙搬送方向Ｘの下流側（図１での右側）には、搬送ベルト５が回転自在に配設されている。搬送ベルト５は、用紙搬送方向Ｘの下流側に配置されたベルト駆動ローラー６と、上流側に配置され搬送ベルト５を介してベルト駆動ローラー６に従動回転するベルトローラー７とに掛け渡されており、ベルト駆動ローラー６が時計方向に回転駆動されることにより、記録用紙Ｐが矢印Ｘ方向に搬送される。
【００５５】
ここで、用紙搬送方向Ｘの下流側にベルト駆動ローラー６を配置したことにより、搬送ベルト５の用紙送り側（図１での上側）はベルト駆動ローラー６に引っ張られるため、弛みが生じることなくベルトを張ることができるので、安定した記録用紙Ｐの搬送が可能となる。なお、搬送ベルト５には誘電体樹脂製のシートが用いられ、その形態としては継ぎ目を有しない（シームレス）もの等が好適に用いられる。
【００５６】
インクジェット記録装置１００は、インクの乾燥を促進する目的で、被記録媒体を加熱する加熱部（不図示）を備えていてもよい。しかし、第二実施形態では、被記録媒体への浸透性に優れる第一実施形態のインクを用いるため、被記録媒体の加熱を行わずとも、被記録媒体上でインクが速やかに乾燥し、良好な画像を形成できる。このため、インクジェット記録装置１００は、加熱部を備えないものであってもよい。
【００５７】
また、搬送ベルト５の用紙搬送方向Ｘの下流側には、図中時計回りに駆動され画像が記録された記録用紙Ｐを装置本体外へと排出する排出ローラー８ａ、及び排出ローラー８ａの上部に圧接され従動回転する従動ローラー８ｂからなる排出ローラー対８（排出部）が設けられている。排出ローラー対８の用紙搬送方向Ｘの下流側には、装置本体外へと排出された記録用紙Ｐが積載される排紙トレイ１０が設けられている。
【００５８】
従動ローラー８ｂは記録用紙Ｐの画像形成面に直接触れるため、従動ローラー８ｂの表面を形成する素材は撥水性材料であるのが好ましい。従動ローラー８ｂの表面を撥水性材料により形成することにより、記録用紙Ｐに浸透していないインクのローラーへの付着を抑制でき、オフセットの発生を抑制しやすい。好適な撥水性材料としては、ポリテトラフルオロエチレン（ＰＴＦＥ）、テトラフルオロエチレン−パーフルオロアルキルビニルエーテル共重合体、テトラフルオロエチレン−ヘキサフルオロプロピレン共重合体、テトラフルオロエチレン−エチレン共重合体、テトラフルオロエチレン−フッ化ビニリデン共重合体、テトラフルオロエチレン−ヘキサフルオロプロピレン−パーフルオロアルキルビニルエーテル共重合体、ポリクロロトリフルオロエチレン、クロロトリフルオロエチレン−エチレン共重合体、クロロトリフルオロエチレン−フッ化ビニリデン共重合体、ポリフッ化ビニリデン、ポリフッ化ビニル等のフッ素樹脂が挙げられる。従動ローラー８ｂと同様に、記録用紙Ｐの画像形成面に接触する部材の表面は撥水性材料により形成するのが好ましい。
【００５９】
そして、搬送ベルト５の上方には、搬送ベルト５の上面に対して所定の間隔が形成されるような高さに支持され、搬送ベルト５上を搬送される記録用紙Ｐへと画像の記録を行うラインヘッド１１Ｃ、１１Ｍ、１１Ｙ及び１１Ｋが配設されている。これらのラインヘッド１１Ｃ〜１１Ｋには、それぞれ異なる４色（シアン、マゼンタ、イエロー及びブラック）の着色インクが充填されており、各ラインヘッド１１Ｃ〜１１Ｋからそれぞれの着色インクを吐出することにより、記録用紙Ｐ上にカラー画像が形成される。
【００６０】
記録用紙Ｐに各ラインヘッド１１Ｃ〜１１Ｋから吐出されたインクの液滴が着弾してから、記録用紙Ｐ上のインクの着弾箇所が、排出部８に到達するまでの時間は装置を小型化するためには１秒以内であるのが好ましい。かかる時間を１秒以内とした場合であっても、第１実施形態に係るインクを用いることによって、高速での画像形成時のオフセットの発生の抑制の効果が充分に得られる。
【００６１】
また、記録用紙Ｐに各ラインヘッド１１Ｃ〜１１Ｋから吐出され、記録用紙Ｐに打ち込まれる一色又は複数の色のインクの量は、特に限定されず、所望する画像濃度を有する画像を形成でき、オフセットが発生しにくい量に調整して画像が形成される。
【００６２】
これらのラインヘッド１１Ｃ〜１１Ｋは、図２に示すように、記録用紙Ｐの搬送方向と直交する方向（図２の上下方向）に複数のノズルが配列されたノズル列を備え、搬送される記録用紙Ｐの幅以上の記録領域を有しており、搬送ベルト５上を搬送される記録用紙Ｐに対して、一括して１行分の画像を形成することができるようになっている。
【００６３】
なお、ラインヘッド型の記録方式のインクジェット記録装置では、搬送ベルト５の幅寸法以上に形成された長尺のヘッド本体の長手方向に複数のノズルを配列させることで、記録用紙Ｐの幅以上の記録領域を有するように構成されたラインヘッドを用いているが、例えば各々複数個のノズルを備えた短尺のヘッドユニットを搬送ベルト５の幅方向に複数配列することにより、搬送される記録用紙Ｐの幅方向全幅にわたって画像を記録できるようにしたラインヘッドを用いても構わない。
【００６４】
また、ラインヘッド１１Ｃ〜１１Ｋのインクの吐出方式としては、例えば、図示しない圧電素子（ピエゾ素子）を用いてラインヘッド１１Ｃ〜１１Ｋの液室内に生じる圧力を利用してインクの液滴を吐出する圧電素子方式や、発熱体によってインク中に気泡を発生させ、圧力をかけてインクを吐出するサーマルインクジェット方式等、各種方式を適用することができる。インクの吐出方式は、吐出量の制御が容易であることから圧電素子方式が好ましい。
【００６５】
図３は、ラインヘッド型の記録方式のインクジェット記録装置の構成を示すブロック図である。図１及び図２と共通する部分には同一の符号を付して説明を省略する。インクジェット記録装置１００には制御部２０が備えられており、制御部２０には、インターフェイス２１、ＲＯＭ２２、ＲＡＭ２３、エンコーダー２４、モーター制御回路２５、ラインヘッド制御回路２６、及び電圧制御回路２７等が接続されている。
【００６６】
インターフェイス２１は、例えば、図示しないパソコン等のホスト装置とデータの送受信を行う。制御部２０は、インターフェイス２１を介して受信された画像信号に対して、必要に応じて変倍処理或いは階調処理を施して画像データに変換する。そして、後述する各種制御回路に制御信号を出力する。
【００６７】
ＲＯＭ２２は、ラインヘッド１１Ｃ〜１１Ｋを駆動させて画像記録を行う際の制御プログラム等を記憶している。ＲＡＭ２３は、制御部２０により変倍処理或いは階調処理された画像データを所定の領域に格納する。
【００６８】
エンコーダー２４は、搬送ベルト５を駆動する排紙側のベルト駆動ローラー６に接続されており、ベルト駆動ローラー６の回転軸の回転変位量に応じてパルス列を出力する。制御部２０は、エンコーダー２４から送信されるパルス数をカウントすることで回転量を算出し、用紙の送り量（用紙位置）を把握する。そして制御部２０は、エンコーダー２４からの信号に基づいて、モーター制御回路２５及びラインヘッド制御回路２６に制御信号を出力する。
【００６９】
モーター制御回路２５は、制御部２０からの出力信号により記録媒体搬送用モーター２８を駆動する。記録媒体搬送用モーター２８がベルト駆動ローラー６を回転駆動させることで、搬送ベルト５を図１の時計回りに回動させて用紙を矢印Ｘ方向へと搬送する。
【００７０】
ラインヘッド制御回路２６は、制御部２０からの出力信号に基づいて、ＲＡＭ２３に格納された画像データをラインヘッド１１Ｃ〜１１Ｋへ転送し、転送された画像データに基づいてラインヘッド１１Ｃ〜１１Ｋからのインクの吐出を制御する。かかる制御と、記録媒体搬送用モーター２８によって駆動する搬送ベルト５による用紙の搬送の制御とにより、用紙への画像の形成が行われる。
【００７１】
電圧制御回路２７は、制御部２０からの出力信号に基づいて給紙側のベルトローラー７に電圧を印加することにより交番電界を発生させ、搬送ベルト５に用紙を静電吸着させる。静電吸着の解除は、制御部２０からの出力信号に基づいてベルトローラー７又はベルト駆動ローラー６を接地させることにより行われる。なお、ここでは給紙側のベルトローラー７に電圧を印加する構成としたが、排紙側のベルト駆動ローラー６に電圧を印加する構成としてもよい。
【００７２】
ラインヘッド型の記録方式のインクジェット記録装置を用いてドットを形成する方法を、図４を用いて具体的に説明する。なお、図４では図１及び図２に示したラインヘッド１１Ｃ〜１１Ｋのうち、ラインヘッド１１Ｃを例に挙げて説明するが、他のラインヘッド１１Ｍ〜１１Ｋについても全く同様に説明される。
【００７３】
図４に示すように、ラインヘッド１１Ｃには複数個のノズルからなるノズル列Ｎ１、Ｎ２が記録用紙Ｐの搬送方向（矢印Ｘ方向）に並設されている。つまり、記録用紙Ｐの搬送方向の各ドット列を形成するノズルとして、ノズル列Ｎ１、Ｎ２に各１個ずつ（例えばドット列Ｌ１ではノズル１２ａ及び１２ａ’）、合計２個のノズルを備えている。なお、ここでは説明の便宜のため、ノズル列Ｎ１、Ｎ２を構成するノズルのうち、ドット列Ｌ１〜Ｌ１６に対応する１２ａ〜１２ｐ及び１２ａ’〜１２ｐ’までの各１６個のノズルのみを記載しているが、実際にはさらに多数のノズルが記録用紙Ｐの搬送方向と直交する方向に配列されているものとする。
【００７４】
そして、このノズル列Ｎ１、Ｎ２を順次用いて被記録媒体としての記録用紙Ｐ上に画像を形成する。例えば、記録用紙Ｐを記録用紙Ｐの搬送方向に移動させながら、記録用紙Ｐの幅方向（図の左右方向）１行分のドット列Ｄ１をノズル列Ｎ１からのインク吐出（図の実線矢印）により形成した後、次の１行分のドット列Ｄ２をノズル列Ｎ２からのインク吐出（図の破線矢印）により形成し、さらに次の１行分のドット列Ｄ３を再びノズル列Ｎ１からのインク吐出により形成する。以下、ドット列Ｄ４以降もノズル列Ｎ１、Ｎ２を交互に用いて同様に形成する。
【００７５】
以上説明した第２実施形態に係る画像形成方法によれば、所望の径、及び形状のドットを形成でき、且つ、所望する濃度の画像を形成できる。このため、第２実施形態に係る画像形成方法は、種々のインクジェット記録装置に好適に利用することができる。
【実施例】
【００７６】
以下、実施例により本発明をさらに具体的に説明する。なお、本発明は実施例によりなんら限定されるものではない。
【００７７】
〔製造例１〕
（スチレン−アクリル樹脂の製造）
顔料分散体の調製に用いるスチレン−アクリル樹脂を以下の手順により製造した。
まず、１０００ｍｌ四つ口フラスコに、スターラー、窒素導入管、コンデンサー、滴下ロートをセットし、イソプロピルアルコール１００ｇ、メチルエチルケトン３００ｇをフラスコに加え、窒素ガスをバブリングしながら加熱還流した。次いで、フラスコ内の混合液を７０℃加熱還流させた状態で、メタクリル酸メチル４０ｇ、スチレン４０ｇ、アクリル酸ブチル１０ｇ、メタクリル酸１０ｇ、及び開始剤としてアゾビスイソブチロニトリル（ＡＩＢＮ）０．４ｇを混合溶解した混合溶液を、滴下ロートを用いて、約２時間かけて滴下した。滴下後、さらにフラスコ内の混合液を６時間加熱還流し、さらに、ＡＩＢＮを０．２ｇ含むメチルエチルケトン溶液を、１５分かけて滴下した。この後さらに５時間加熱還流し、分子量２０，０００のスチレン−アクリル樹脂を得た。得られたスチレン−アクリル樹脂の重量平均分子量（Ｍｗ）を、ゲルろ過クロマトグラフィー（ＨＬＣ−８０２０ＧＰＣ（東ソー株式会社製））を用いて下記条件により確認した。また、得られた樹脂の酸価を滴定により確認したところ、１００ｍｇＫＯＨ／ｇであった。
【００７８】
＜質量平均分子量測定条件＞
カラム：ＴＳＫｇｅｌ、Ｓｕｐｅｒ  Ｍｕｌｔｉｐｏｒｅ  ＨＺ−Ｈ（東ソー株式会社製、４．６ｍｍＩＤ×１５ｃｍ）
カラム本数：３本
溶離液：テトラヒドロフラン
流速：０．３５ｍｌ／分
サンプル注入量：１０μｌ
測定温度：４０℃
検出器：ＩＲ検出器
検量線は、標準試料（ＴＳＫ  ｓｔａｎｄａｒｄ，ｐｏｌｙｓｔｙｒｅｎｅ、東ソー株式会社製）から、Ｆ−４０、Ｆ−２０、Ｆ−４、Ｆ−１、Ａ−５０００、Ａ−２５００、Ａ−１０００、及びｎ−プロピルベンゼンの８種を選択して作成した。
【００７９】
〔製造例２〕
（顔料分散体の製造）
シアン色顔料としてＰ．Ｂ−１５：３を用いた。顔料分散体の調製に用いる材料の質量の合計に対して、顔料１５質量％、製造例１で得たスチレン−アクリル樹脂６．０質量％、及び１，２−オクタンジオール０．２質量％と、残余の水（イオン交換水）とを、ダイノミル（マルチラボ，ベッセル容量０．６Ｌ（株式会社シンマルエンタープライゼス製））に仕込んだ。次いで、スチレン−アクリル樹脂の中和に必要な量の水酸化カリウムをダイノミルに加えた。その後、ベッセル容量に対して７０％となるように、ビーズ径０．５ｍｍのジルコニアビーズをメディアとしてダイノミルに充填して、水冷しながら、１０℃、周速８ｍ／ｓの条件で顔料とスチレン−アクリル樹脂とを混練した。なお、樹脂Ａは中和等量の１０５％のＮａＯＨ水溶液で中和した。また、Ｎａの質量は樹脂の質量として計算し、ＮａＯＨ水溶液に含まれる水や中和反応で生じた水の質量はイオン交換水の質量として計算した。得られた顔料分散体を、イオン交換水を用いて３００倍に希釈して、動的光散乱式粒径分布測定装置（ゼータサイザー  ナノ（シスメックス株式会社製））により顔料の体積平均粒径Ｄ５０を測定し、顔料の体積平均粒径が７０〜１３０ｎｍの範囲となっていることを確認した。
【００８０】
〔実施例１〜５、及び比較例１〕
実施例１〜５、及び比較例１では、表１記載の浸透剤を用いてインクを調製した。具体的には、下記組成１の材料を撹拌機（スリーワンモーター  ＢＬ−６００（アズワン株式会社製））により回転数４００ｒｐｍで撹拌して均一に混合した後、孔径５μｍのフィルターによりろ過して、実施例１〜５、及び比較例１のインクを得た。なお、界面活性剤として、下記式（１１）で表される化合物である界面活性剤１１を用いた。
（組成１）
製造例２で得た顔料分散体：４０質量％
トリエチレングリコールモノブチルエーテル：４．５質量％
２−ピロリドン（溶解安定剤）：５．０質量％
界面活性剤１１：０．５質量％
表１記載の種類の浸透剤：０．５質量％
グリセリン：１５質量％
１，３−プロパンジオール：１５質量％
イオン交換水：残余の量
【００８１】
【表１】
0005651635.tif 000005
【００８２】
また、下記方法に従い、実施例１〜５、及び比較例１のインクの形成画像に含まれるドットのドット径及びドット形状、形成画像の画像濃度、並びにデキャップ性の評価を行った。実施例１〜５、及び比較例１のインクの形成画像に含まれるドットのドット径及びドット形状、形成画像の画像濃度、並びにデキャップ性の評価結果を表２に記す。
【００８３】
＜ドット径及びドット形状の評価方法＞
ドット径及びドット形状の評価は、評価機として画像形成装置（ラインヘッド搭載インクジェット記録装置、京セラドキュメントソリューションズ製試験機）を用いて、２５℃、５０％ＲＨ環境下で形成された画像に含まれるドットについて行った。被記録媒体としてインクジェット用普通紙（Ａ４、ＩＪＷ（王子製紙株式会社製））を用い、記録ヘッドから、被記録媒体へ吐出するインクの量が８ｐＬ（１画素当たり）、ドット密度６００ｄｐｉとなるようにスタンプ画像（ラインヘッドの各ノズルから１ドットを吐出して形成した画像）を形成した。得られたスタンプ画像を測定試料として用い、ドットアナライザー（ＤＡ−６０００（王子計測機器株式会社製））により、各ドットの直径の平均値であるドット径と、ドット形状の指標である形状係数を測定した。なお、ドット径、及び形状係数の値は、ドットアナライザーによって測定したスタンプ画像内の１０個のドットの測定値の平均値を用いた。ドット径、及び形状係数（ドット形状）を、以下の基準により判定した。
≪ドット径≫
○（合格）：８０μｍ以上
×（不合格）：８０μｍ未満
≪形状係数（ドット形状）≫
○（合格）：２．５以下
×（不合格）：２．５超
【００８４】
＜画像濃度の評価方法＞
画像濃度の評価は、ドット径及びドット形状の評価用画像の形成に用いた画像形成装置を評価機として用いて、２５℃、５０％ＲＨ環境下において行った。被記録媒体として普通紙（Ａ４、ＰＰＣ用紙、Ｃ２（富士ゼロックス株式会社製））を用い、記録ヘッドから、被記録媒体へ吐出するインクの量が１１ｐＬ（１画素当たり）となるように１０ｃｍ×１０ｃｍのベタ画像を形成した。形成画像の濃度をポータブル反射濃度計ＲＤ−１９（グレタグマクベス社製）により測定し、ベタ画像内の１０箇所の画像濃度の平均値を画像濃度とした。画像濃度を、以下の基準により判定した。
○（合格）：画像濃度１．０以上
×（不合格）：画像濃度１．０未満
【００８５】
＜デキャップ性の評価方法＞
デキャップ性の評価は、画像濃度の評価と同じ画像形成装置と被記録媒体とを用いて、３２．５℃、１５％ＲＨ環境下において行った。インクを記録ヘッドに充填して、パージとワイプとをセットで３度行った後、記録ヘッドにキャップをすることなく６０分間放置した。なお、パージ量については記録ヘッド当たり１回につき２ｃｃである。６０分間放置後、被記録媒体に、記録ヘッドのノズル１個から吐出される１画素当たりのインクの量を１１ｐＬとなるようにして、被記録媒体の進行方向に垂直なライン画像（１ドット幅×被記録媒体の幅の長さ）を形成した。デキャップ性を、以下の基準により判定した。
○（合格）：全ノズルの吐出を確認できた場合
×（不合格）：インクの不吐出や、インクの吐出位置のずれ（ラインから１０μｍ以上のずれ）が確認された場合
【００８６】
【表２】
0005651635.tif 000006
【００８７】
表２によれば、少なくとも、水と、顔料分散体と、所定量の炭素原子数８、又は９のアルカンジオールを含む浸透剤と、所定量の式（Ｉ）で表される化合物からなる界面活性剤とを含有する実施例１〜５のインクは、所望する径及び形状のドットを形成でき、且つ、所望する濃度の画像を形成できることが分かる。
【００８８】
これに対し、浸透剤として炭素原子数７のアルカンジオールである１，２−ヘプタンジオールを用いる場合、所望する径及び形状のドットを有する画像を形成しにくく、また、所望する濃度の画像を形成しにくい。これは、インクの被記媒体に対する浸透性が低いためと考えられる。
【００８９】
〔実施例６〜８、及び比較例２〜４〕
実施例６〜８、及び比較例２〜４では、浸透剤Ｂの量を調整してインクを調製した。具体的には、下記組成２の材料を撹拌機（スリーワンモーター  ＢＬ−６００（アズワン株式会社製））により回転数４００ｒｐｍで撹拌して均一に混合した後、孔径５μｍのフィルターによりろ過して、実施例６〜８、及び比較例２〜４のインクを得た。なお、界面活性剤として、下記式（１２）で表される化合物である界面活性剤１２を用いた。
（組成２）
製造例２で得た顔料分散体：４０質量％
トリエチレングリコールモノブチルエーテル：４．５質量％
２−ピロリドン（溶解安定剤）：５．０質量％
界面活性剤１２：０．５質量％
浸透剤Ｂ：表３記載の量
グリセリン：１５質量％
１，３−プロパンジオール：１５質量％
イオン交換水：残余の量
【００９０】
また、実施例６〜８、及び比較例２〜４のインクについて、形成画像に含まれるドットのドット径及びドット形状、形成画像の画像濃度、並びにデキャップ性を実施例１と同様に評価した。これらの評価結果を表３に記す。
【００９１】
【表３】
0005651635.tif 000007
【００９２】
表３によれば、少なくとも、水と、顔料分散体と、炭素原子数８、又は９のアルカンジオールを含む浸透剤と、所定量の式（Ｉ）で表される化合物からなる界面活性剤とを含有し、炭素原子数８、又は９のアルカンジオールの含有量がインクの全質量に対して０．３〜１．０質量％である、実施例６〜８のインクは、所望する径及び形状のドットを形成でき、且つ、所望する濃度の画像を形成できることが分かる。
【００９３】
これに対し、インク中の炭素原子数８、又は９のアルカンジオールの含有量が過少である、比較例２、及び３のインクは、所望する形状のドットを形成しにくく、所望する濃度の画像を形成しにくい。これは、インクの被記録媒体に対する浸透性が低いためと考えられる。また、インク中の炭素原子数８、又は９のアルカンジオールの含有量が過多である、比較例４のインクは、所望する径のドットを形成しにくく、また、所望する濃度の画像を形成しにくい。これは、インクの被記録媒体に対する浸透性が高すぎるため、被記録媒体上に着弾したインクが、急速に被記録媒体に浸透するためと考えられる。
【００９４】
〔実施例９〜２０、及び比較例５〜１７〕
実施例９〜２０、及び比較例５〜１７では、界面活性剤１〜１９として下記式（１）〜（１９）で表される化合物、界面活性剤２０としてオルフィンＥ１０１０（界面活性剤、アセチレンジオールのエチレンオキシド（１０モル）付加物、日信化学工業株式会社製）、及び界面活性剤２１〜２６として下記式（２１）〜（２６）で表される化合物をそれぞれ用いてインクを調製した。具体的には、下記組成３の材料を撹拌機（スリーワンモーター  ＢＬ−６００（アズワン株式会社製））により回転数４００ｒｐｍで撹拌して均一に混合した後、孔径５μｍのフィルターによりろ過して、実施例９〜２０、及び比較例５〜１７のインクを得た。
【００９５】
界面活性剤１〜１９、及び２１〜２６は、アルカノールにエチレンオキシド及び／又はプロピレンオキシドが付加した化合物である。以下、表中に、界面活性剤について、アルカノールに由来するアルキル基の炭素数及び構造と、界面活性剤１分子中のエチレンオキシドの付加数ｎ及びプロピレンオキシドの付加数ｍとを記載する。なお、アルカノールに由来するアルキル基が分岐鎖アルキル基である場合、式（Ｉ）で表される化合物におけるＡ＋Ｂに相当する値を、表中に記載する。
【００９６】
（組成３）
製造例２で得た顔料分散体：４０質量％
トリエチレングリコールモノブチルエーテル：４．５質量％
２−ピロリドン（溶解安定剤）：５．０質量％
界面活性剤１〜２６：０．５質量％
浸透剤Ｂ：０．６質量％
グリセリン：１５質量％
１，３−プロパンジオール：１５質量％
イオン交換水：残余の量
【化４】
0005651635.tif 000008
【化５】
0005651635.tif 000009
【化６】
0005651635.tif 000010
【化７】
0005651635.tif 000011
（Ａ及びＢは、１以上の整数であり、Ａ＋Ｂは、１２である。）
【化８】
0005651635.tif 000012
（Ａ及びＢは、１以上の整数であり、Ａ＋Ｂは、１１〜１２であり、ｎは７であり、ｍは２〜３である。）
【化９】
0005651635.tif 000013
【化１０】
0005651635.tif 000014
【化１１】
0005651635.tif 000015
【００９７】
また、実施例９〜２０、及び比較例５〜１８のインクについて、形成画像に含まれるドットのドット径及びドット形状、形成画像の画像濃度、並びにデキャップ性を実施例１と同様に評価した。これらの評価結果を表４〜９に記す。
【００９８】
【表４】
0005651635.tif 000016
【００９９】
【表５】
0005651635.tif 000017
【０１００】
【表６】
0005651635.tif 000018
【０１０１】
【表７】
0005651635.tif 000019
【０１０２】
【表８】
0005651635.tif 000020
【０１０３】
【表９】
0005651635.tif 000021
【０１０４】
表４〜９によれば、少なくとも、水と、顔料分散体と、所定量の炭素原子数８又は９のアルカンジオールを含む浸透剤と、所定量の式（Ｉ）で表される化合物からなる界面活性剤とを含有する、実施例９〜２０のインクは、所望する径及び形状のドットを形成でき、且つ、所望する濃度の画像を形成できることが分かる。
【０１０５】
これに対し、Ａ＋Ｂが６未満である界面活性剤２を用いた比較例５のインクは、所望する径及び形状のドットを形成しにくいことが分かる。これは、インクの被記録媒体に対する濡れ性が劣るため、被記録媒体へのインクの拡散や浸透が遅いためと考えられる。
【０１０６】
ｎ＋ｍが５未満である界面活性剤３を用いた比較例６のインクは、所望する径のドットを形成しにくい。これは、インクの被記録媒体に対する濡れ性が劣るため、被記録媒体表面でインクが拡散しにくいためと考えられる。
【０１０７】
ｎ≦ｍである界面活性剤８〜１０、１８及び１９を用いた比較例７〜９、１１及び１２のインクは、所望する濃度の画像を形成しにくいことが分かる。また、必ずしも当てはまらないが、比較例７〜９、１１及び１２によれば、ｎ≦ｍである界面活性剤を用いる場合、径及び形状がともに所望する程度のドットを形成しにくいことが分かる。
【０１０８】
〔実施例２１〜２４、比較例１９〜２０、実施例２５〜２７、及び比較例２１〜２２〕
実施例２１〜２４、及び比較例１９〜２０では、界面活性剤として、式（１２）で表される化合物である界面活性剤１２の量を調整してインクを調製した。具体的には、下記組成４の材料を撹拌機（スリーワンモーター  ＢＬ−６００（アズワン株式会社製））により回転数４００ｒｐｍで撹拌して均一に混合した後、孔径５μｍのフィルターによりろ過して、実施例２１〜２４、及び比較例１９〜２０のインクを得た。
（組成４）
製造例２で得た顔料分散体：４０質量％
トリエチレングリコールモノブチルエーテル：４．５質量％
２−ピロリドン（溶解安定剤）：５．０質量％
界面活性剤１２：表１０記載の量
浸透剤Ｂ：０．６質量％
グリセリン：１５質量％
１，３−プロパンジオール：１５質量％
イオン交換水：残余の量
【０１０９】
実施例２５〜２７、及び比較例２１〜２２では、式（１）で表される化合物である界面活性剤１の量を調整してインクを調製した。具体的には、下記組成５の材料を撹拌機（スリーワンモーター  ＢＬ−６００（アズワン株式会社製））により回転数４００ｒｐｍで撹拌して均一に混合した後、孔径５μｍのフィルターによりろ過して、実施例２５〜２７、及び比較例２１〜２２のインクを得た。
（組成５）
製造例２で得た顔料分散体：４０質量％
トリエチレングリコールモノブチルエーテル：４．５質量％
２−ピロリドン（溶解安定剤）：５．０質量％
界面活性剤１：表１１記載の量
浸透剤Ｂ：０．６質量％
グリセリン：１５質量％
１，３−プロパンジオール：１５質量％
イオン交換水：残余の量
【０１１０】
また、実施例２１〜２４、比較例１９〜２０、実施例２５〜２７、及び比較例２１〜２２のインクについて、形成画像に含まれるドットのドット径及びドット形状、形成画像の画像濃度、並びにデキャップ性を実施例１と同様に評価した。実施例２１〜２４、及び比較例１９〜２０のインクの評価結果を表１０に記す。実施例２５〜２７、及び比較例２１〜２２のインクの評価結果を表１１に記す。
【０１１１】
【表１０】
0005651635.tif 000022
【０１１２】
【表１１】
0005651635.tif 000023
【０１１３】
表１０及び１１によれば、少なくとも、水と、顔料分散体と、所定量の炭素原子数８、又は９のアルカンジオールを含む浸透剤と、所定量の式（Ｉ）で表される化合物からなる界面活性剤とを含有する実施例２１〜２７のインクは、所望する径及び形状のドットを形成でき、且つ、所望する濃度の画像を形成できることが分かる。
【０１１４】
これに対し、インク中の界面活性剤の含有量が過少である、比較例１９及び２１のインクは、所望する径のドットを形成しにくく、また、所望する濃度の画像を形成しにくい。これは、インクの被記録媒体に対する濡れ性が劣るため、被記録媒体上でインクが速やかに拡散したり浸透したりしにくいためと考えられる。画像濃度の低下は、インクの被記録媒体への浸透速度の低下によって生じたオフセットの発生に起因すると考えられる。
【０１１５】
また、インク中の界面活性剤の含有量が過多である、比較例２０及び２２のインクも、所望する径のドットを形成しにくく、また、所望する濃度の画像を形成しにくい。これは、インクの被記録媒体に対する濡れ性が高すぎることによって、インクが被記録媒体に急速に浸透することに起因すると考えられる。
【０１１６】
〔実施例２８〜２９、及び比較例２３〜２４〕
実施例２８〜２９、及び比較例２３〜２４では、式（１３）で表される化合物である界面活性剤１４、式（３）で表される化合物である界面活性剤３、及び浸透剤Ｂのそれぞれの量を調整してインクを調製した。具体的には、下記組成６の材料を撹拌機（スリーワンモーター  ＢＬ−６００（アズワン株式会社製））により回転数４００ｒｐｍで撹拌して均一に混合した後、孔径５μｍのフィルターによりろ過して、実施例２８〜２９、及び比較例２３〜２４のインクを得た。
（組成６）
製造例２で得た顔料分散体：４０質量％
トリエチレングリコールモノブチルエーテル：４．５質量％
２−ピロリドン（溶解安定剤）：５．０質量％
界面活性剤１４：表１２記載の量
界面活性剤３：表１２記載の量
浸透剤Ｂ：表１２記載の量
グリセリン：１５質量％
１，３−プロパンジオール：１５質量％
イオン交換水：残余の量
【０１１７】
また、実施例２８〜２９、及び比較例２３〜２４のインクについて、形成画像に含まれるドットのドット径及びドット形状、形成画像の画像濃度、並びにデキャップ性を実施例１と同様に評価した。これらの評価結果を表１２に記す。
【０１１８】
【表１２】
0005651635.tif 000024
【０１１９】
表１２によれば、少なくとも、水と、顔料分散体と、所定量の炭素原子数８、又は９のアルカンジオールを含む浸透剤と、所定量の式（Ｉ）で表される化合物からなる界面活性剤とを含有する実施例２８及び２９のインクは、所望する径及び形状のドットを形成でき、且つ、所望する濃度の画像を形成できることが分かる。
【０１２０】
これに対し、炭素原子数８、又は９のアルカンジオールを含まない比較例２３〜２４のインクは、所望の形状のドットを形成しにくく、また、所望する濃度の画像を形成しにくい。これは、インクの被記録媒体に対する浸透性が低いためと考えられる。
【符号の説明】
【０１２１】
２  給紙トレイ
３  給紙ローラー
４  従動ローラー
５  搬送ベルト
６  ベルト駆動ローラー
７  ベルトローラー
８  排出部
８ａ  排出ローラー
８ｂ  従動ローラー
１０  排紙トレイ
１１Ｃ、１１Ｍ、１１Ｙ、１１Ｋ  ラインヘッド
１２ａ〜１２ｐ、１２ａ’〜１２ｐ’  ノズル
２０  制御部
３０  検出手段
１００  インクジェット記録装置
Ｄ１〜Ｄ４  ドット列（行方向）
Ｌ１〜Ｌ１６  ドット列（搬送方向）
Ｎ１、Ｎ２  ノズル列
Ｐ  記録用紙
【図１】
0005651635.tif 000026
【図２】
0005651635.tif 000027
【図３】
0005651635.tif 000028
【図４】
0005651635.tif 000029